(57)【要約】【課題】  ユーザが入力文字を確認できると共に表示領域を確保可能な表示装置を提供する。【解決手段】  文字入力があると入力された文字を大きな文字で表示すると共にタイマによるカウントをスタートする（Ｓ１０、Ｓ１１ステップ）。その後、タイマが所定時間の計時を終了するか（Ｓ１４ステップのＹ）、或いは決定キーの押下操作があると（Ｓ１５ステップのＹ）大きく表示されていた文字を小さく表示する。このように、入力された文字を所定時間経過するか或いは決定キーの押下操作がされるまでは大きく表示することのよりユーザに入力された文字を確認させることが可能であり、更に、確定後の文字は小さく表示される為に表示部の表示領域を有効に活用することが可能である。【選択図】  図４
2010256482.tif 000002
【特許請求の範囲】
【請求項１】
入力された情報を表示可能な表示装置であり、
情報を入力する為の入力手段を有し、前記入力手段により情報が入力されると、所定時間の計時を開始すると共に入力された情報を大きく表示し、前記所定時間の計時が終了すると、前記大きく表示されていた情報を小さく表示するように制御する制御手段を有することを特徴とする表示装置。
【請求項２】
入力された情報を表示可能な表示装置であり、
情報を入力する操作と入力された情報を確定する操作を行う為の入力手段を有し、前記入力手段により情報が入力されると、入力された情報を大きく表示し、前記入力手段から前記大きく表示している情報を確定する操作があると、前記大きく表示されていた情報を小さく表示するように制御する制御手段を有することを特徴とする表示装置。
【請求項３】
入力された情報を表示可能な表示装置であり、
情報を入力する操作と入力された情報を確定する操作を行う為の入力手段と、所定時間の計時を行う計時手段と、を有し、
前記入力手段により情報が入力されると、前記計時手段による所定時間の計時を開始すると共に入力された情報を大きく表示し、前記入力手段から前記大きく表示している情報を確定する操作又は前記計時手段が所定時間の計時を終了すると、前記大きく表示されていた情報を小さく表示するように制御する制御手段を有することを特徴とする表示装置。
【請求項４】
請求項３に記載の表示装置であり、前記入力手段から入力された情報を大きく表示している状態で、前記入力手段から異なる情報の入力操作があると、前記大きく表示していた情報を前記異なる情報に切り替え表示することを特徴とする表示装置。
【発明の詳細な説明】
【技術分野】
【０００１】
本発明は表示装置に関する。
【背景技術】
【０００２】
特許文献１には、文字候補の一覧を大きな文字で表示し、カーソル移動操作に応じて所望の文字を選択可能な技術が記載されている。
又、表示装置を搭載した電子機器の一例として、現在市販されているファクシミリ装置では、筐体にキー等を配置する必要があるために表示部の占有スペースが限られており、換言すれば、表示部に一度に表示可能な文字数には制限がある。
【先行技術文献】
【特許文献】
【０００３】
【特許文献１】特開２０００−２０１９６号公報
【発明の概要】
【発明が解決しようとする課題】
【０００４】
しかしながら、上記特許文献１に記載の技術では、文字の候補を表示する為に大きな文字を複数表示する領域を必要とするため、コードレス電話やファクシミリ装置等表示領域に制限がある表示装置を有する電子機器においては、この技術を適用するのは現実的ではない。
【０００５】
近年では、高齢化に伴い表示文字を大きくすることにより、お年寄りでも使いやすいコードレス電話やファクシミリ装置が製品化されているが、先ほど述べたように表示領域が制限されているため、大きな文字を表示する構成では、一度に表示する文字数が限られてしまうという問題が生じる。ユーザにとって、入力した文字を確認可能であると共に多くの文字を一度に表示可能な表示装置が好ましい。
【課題を解決するための手段】
【０００６】
本発明は、このような課題を解決するためのものであり、文字等を入力する際に、初めは入力文字を大きく表示し、例えば所定時間が経過する、或いは何らかの操作があると、大きく表示していた文字を小さく表示するものである。このような構成とすることにより、ユーザは入力した文字を確認できるだけでなく、ファクシミリ装置やコードレス電話のような表示領域に制限がある電子機器においても、多くの文字を一度に表示することが可能である。
請求項１に記載の表示装置は、入力された情報を表示可能な表示装置であり、情報を入力する為の入力手段を有し、前記入力手段により情報が入力されると、所定時間の計時を開始すると共に入力された情報を大きく表示し、前記所定時間の計時が終了すると、前記大きく表示されていた情報を小さく表示するように制御する制御手段を有することを特徴とする。
請求項２に記載の表示装置は、入力された情報を表示可能な表示装置であり、情報を入力する操作と入力された情報を確定する操作を行う為の入力手段を有し、前記入力手段により情報が入力されると、入力された情報を大きく表示し、前記入力手段から前記大きく表示している情報を確定する操作があると、前記大きく表示されていた情報を小さく表示するように制御する制御手段を有することを特徴とする。
請求項３に記載の表示装置は、入力された情報を表示可能な表示装置であり、情報を入力する操作と入力された情報を確定する操作を行う為の入力手段と、所定時間の計時を行う計時手段と、を有し、前記入力手段により情報が入力されると、前記計時手段による所定時間の計時を開始すると共に入力された情報を大きく表示し、前記入力手段から前記大きく表示している情報を確定する操作又は前記計時手段が所定時間の計時を終了すると、前記大きく表示されていた情報を小さく表示するように制御する制御手段を有することを特徴とする。
請求項４に記載の表示装置は、請求項３に記載の表示装置であり、前記入力手段から入力された情報を大きく表示している状態で、前記入力手段から異なる情報の入力操作があると、前記大きく表示していた情報を前記異なる情報に切り替え表示することを特徴とする。
【発明の効果】
【０００７】
請求項１に記載の発明によれば、情報が入力されてから所定時間の間は情報を大きく表示するため、ユーザが入力した情報を容易に確認できる。更に、所定時間が経過すると情報を小さく表示するため、小さい表示領域を有効に活用できる。
請求項２に記載の発明によれば、情報が入力されてから確定操作があるまで情報を大きく表示するため、ユーザが入力した情報を容易に確認できる。更に、確定操作があると情報を小さく表示するため、小さい表示領域を有効に活用できる。
請求項３に記載の発明によれば、情報が入力されてから所定時間の間又は確定操作があるまでは情報を大きく表示するため、ユーザが入力した情報を容易に確認できる。更に、所定時間が経過するか或いは確定操作があると情報を小さく表示するため、小さい表示領域を有効に活用できる。
請求項４に記載の発明によれば、情報を大きく表示している状態でユーザが容易に入力した情報を修正可能である。
【図面の簡単な説明】
【０００８】
【図１】本発明の一実施形態に係るファクシミリ装置の斜視図である。
【図２】本発明の一実施形態に係るファクシミリ装置のブロック図である。
【図３】本実施例装置の表示形態を示す図である。
【図４】本実施例装置の動作を示すフロー図である。
【発明を実施するための形態】
【０００９】
次に、本発明の一実施形態に係る表示装置を搭載したファクシミリ装置について、図面を参照して説明する。なお、本実施例ではファクシミリ装置について実施したが、表示装置を有する電子機器であれば、コードレス電話、携帯電話、パーソナルコンピュータ等でも同様に実施可能である。
【実施例】
【００１０】
図１は本発明を適用してなる実施例装置であるファクシミリ装置１０の斜視図である。図１において、ファクシミリ装置１０は、例えば液晶表示装置からなり、電話番号や氏名等の文字等を表示する表示部１０９、テンキー１１１やストップキー１１２、メニュー決定キー１１３等からなる操作部１１０を有している。
図２は、本発明の実施例にかかるファクシミリ装置の構成を示すブロック図である。ファクシミリ装置１０は、制御部１０１、モデム１０２、符号化／復号化部１０３、読み取り部１０４、画情報メモリ１０５、ＲＯＭ１０６、ＲＡＭ１０７、バッファメモリ１０８、表示部１０９、操作部１００、印刷部１１０などを備えて構成されている。
【００１１】
制御部１０１は、マイクロプロセッサを中心に構成され、一般的なコンピュータ装置と同様にＲＯＭ１０６、ＲＡＭ１０７などのメモリと接続されており、ＲＯＭ１０６に格納されている各種制御プログラムに基づいて制御する。又、ＲＡＭ１０７内には電話帳データや着信履歴データ等の各種データが格納される。
【００１２】
モデム１０２は、電話回線Ｌに接続され、着信信号を検出する着信検出回路、電話回線Ｌに接続されて回線の解放・閉結を行うための極性反転検出回路、電話回線Ｌを介して送受信されるファクシミリ通信に用いる各種信号（画情報等）を変復調する変復調回路、操作部１１０から入力された電話番号情報に基づいて電話回線Ｌへダイヤル信号を送出させるダイヤル発信回路などから構成されている。
【００１３】
符号化／復号化部１０３は、電話回線Ｌを介して送受信される画情報の符号化復号化を行う。具体的には、２値化データ（画情報データ）をＭＨ、ＭＲ、ＭＭＲなどのファクシミリ通信用の圧縮データ（画情報）に符号化し、圧縮データ（画情報）を画情報データに復号化するためのものである。
【００１４】
読み取り部１０４は、ファクシミリ通信を行う場合に原稿を読み取るイメージスキャナなどで構成されている。
【００１５】
画情報メモリ１０５は、例えば、ＤＲＡＭからなり、電話回線Ｌを介して受信された画情報データや読み取り部１０４により読み取られた画情報データを格納する。
バッファメモリ１０８は、モデム１０２が電話回線を介して受信した画情報データを画情報メモリ１０５へ転送する際に一時的に蓄積するために使用され、また、データ編集部１１１によって編集された画情報データを印刷部１１２へ転送する際に一時的に蓄積するために使用される。
【００１６】
表示部１０９は、例えば、液晶表示装置などから構成される表示ユニットであり、制御部１０１からの制御信号に応じて、現在の通信状態やダイヤル入力時の相手先ＦＡＸ番号など各種のテキスト情報等を表示する。
【００１７】
操作部１１０は、例えばテンキー１１１やストップキー１１２、メニュー決定キー１１３等の各種キーからなる。
【００１８】
印刷部１１１は、例えば、熱転写、感熱、電子写真、またはインクジェット方式のプリンタからなり、画情報メモリ１０５に格納されている画情報データなどを印刷する。
【００１９】
次に本実施例装置の動作について説明する。図３は本実施例装置の動作を示す、表示部１０９の表示形態を示している。図３を用いて説明すると、まずユーザがテンキーの「０」を押下したとする。すると、表示部１０９の右側に、テンキーの「０」に対応する数字の「０」が大きな文字で表示されると共に、表示部１０９の左端にはカーソル２００が表示される（図３（Ａ））。
この状態で所定時間が経過するか、或いはユーザが決定キー１１３を押下すると、図３（Ａ）の表示部１０９右端に表示されていた「０」が、表示部左端のカーソル２００上に小さく表示される（数字が確定される）。続いて、ユーザがテンキーの「３」を押下したとする。すると、表示部１０９の右側に、テンキーの「３」に対応する数字の「３」が大きな文字で表示されると共に、表示部１０９の左端の「０」の右側にカーソル２００が表示される（図３（Ｂ））。
この状態で所定時間が経過するか、或いはユーザが決定キー１１３を押下すると、図３（Ｂ）の表示部１０９右端に表示されていた「３」が、表示部左端のカーソル２００上に小さく表示される（数字が確定される）（図３（Ｃ））。
このように、ユーザが入力した文字（例えば数字）が所定時間経過するか決定キー１１３を押下されるまで大きく表示され、所定時間経過或いは決定キー１１３が押下されると、小さく表示される。このため、ユーザは入力した文字が何であるかを大きな文字で確認できると共に、確定した文字は小さく表示されるため、表示領域を確保することが可能である。
尚、（図３（Ａ）、或いは図３（Ｂ））で表示されている状態で、ユーザが異なるキー（例えばテンキーの異なる数字キー）を押下することにより大きく表示されている数字を変更することが可能である。このような構成とすることにより、ユーザが大きな文字を見て入力ミスであると判断した場合でも容易に数字を変更することが可能である。
次に本実施例装置について、図４のフロー図を用いて以下に説明する。図４は本実施例装置のフロー図である。
図４のＳ１０ステップにおいて、制御部１０１は、操作部１１１のテンキー１１１の押下操作があると判定するとＳ１１ステップに処理を進める。
Ｓ１１ステップにおいて、制御部１０１は、前記Ｓ１０ステップで押下されたキー（例えば、「０」）に対応する数字（「０」）を表示部１０９に大きな文字で表示する（図３の（Ａ参照））。又、制御部１０１は、内部に搭載されたカウンタ（図示せず）による所定時間（例えば３０秒）のカウントを開始し、Ｓ１２ステップへ処理を進める。
Ｓ１２ステップでは、制御部１０１は、テンキー１１１の押下操作があると判定すると、Ｓ１３ステップに処理を進め、そうでなければＳ１４ステップに処理を進める。
Ｓ１３ステップでは、制御部１０１は、前記Ｓ１１ステップで大きな文字で表示した「０」の領域に、押下されたキーに対応する文字を切り替え表示すると共に、前記Ｓ１１ステップでカウント開始したタイマをクリアすると共にタイマによる計時を再開させる。
Ｓ１４ステップでは、制御部１０１は、前記Ｓ１１ステップ又は前記Ｓ１３ステップでカウントスタートしたタイマが所定時間の計時を終了したと判定すると、Ｓ１６ステップへ処理を進め、そうでなければＳ１５ステップへ処理を進める。
Ｓ１５ステップでは、制御部１０１は、決定キー１１３の操作があると判定するとＳ１６ステップへ処理を進め、そうでなければＳ１７ステップへ処理を進める。
Ｓ１６ステップでは、制御部１０１は、表示部１０９で大きく表示されていた文字をカーソル上に小さく表示する（例えば、図３の（Ｂ）参照）。そして、Ｓ１０ステップへ処理を戻す。
Ｓ１７ステップでは、制御部１０１は、ストップキー１１２の押下があると判定するとＳ１８ステップへ処理を進め、そうでなければＳ１２ステップへ処理を戻す。
Ｓ１８ステップでは、制御部１０１はカウンタのカウントをクリアすると共に表示部１０９の表示をクリアして処理を終了する。
尚、本実施例では数字を入力する際の例で説明したが、数字に限らず、かな、英字、記号等を入力する際でも同様に実施可能である。又、本実施例ではファクシミリ装置について実施したが、表示装置を有する電子機器であれば、コードレス電話、パーソナルコンピュータ、携帯電話等の電子機器でも同様に実施可能である。
【符号の説明】
【００２０】
１０      ファクシミリ装置
１０９    表示部
１００    操作部
１１１    テンキー
１１２    ストップキー
１１３    決定キー
【図１】
2010256482.tif 000003
【図２】
2010256482.tif 000004
【図３】
2010256482.tif 000005
【図４】
2010256482.tif 000006